【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
電子メール機能を搭載した通信端末装置であって、
電子メールに用いられた文字コードについて、受信側の装置で正しく画面表示させるために受信側の装置へ送信すべき文字コードを判定する判定部を備える、通信端末装置。
【請求項２】
電子メールに使用される文字コードと当該文字コードに従って画面表示される内容とを対応付けた、フォント情報を格納する格納部と、
前記判定部で判定された文字コードに関して、前記フォント情報のファイルを作成するファイル作成部と、
電子メールに前記ファイル作成部で作成されたファイルを添付して送信する送信部とをさらに備える、請求項１に記載の通信端末装置。
【請求項３】
前記判定部は、受信側の装置で再現することができない表示不可能の文字コードを、前記受信側の装置へ送信すべき文字コードとして判定することを特徴とする、請求項１に記載の通信端末装置。
【請求項４】
前記判定部は、受信側の装置から与えられた表示不可能の文字コードに関する情報に基づいて判定を行うことを特徴とする、請求項３に記載の通信端末装置。
【請求項５】
前記受信側の装置で再現することができない表示不可能の文字コードは、前記受信側の装置のキャリア、メーカ又は機種の少なくとも１つに基づいて判断されることを特徴とする、請求項３に記載の通信端末装置。
【請求項６】
前記判定部は、すでにフォント情報を送信している文字コードを、前記受信側の装置で再現することができない表示不可能の文字コードから除外することを特徴とする、請求項２に記載の通信端末装置。
【請求項７】
前記受信側の装置で再現できる対応文字コードに関する情報を、予め保持していることを特徴とする、請求項３に記載の通信端末装置。
【請求項８】
前記受信側の装置で再現できる対応文字コードに関する情報を、アドレス帳に記載されている宛先毎に保持していることを特徴とする、請求項７に記載の通信端末装置。
【請求項９】
前記受信側の装置で再現できる対応文字コードに関する情報を、フォントグループ単位で保持していることを特徴とする、請求項８に記載の通信端末装置。
【請求項１０】
前記判定部は、使用者から指定された文字コードを、前記受信側の装置へ送信すべき文字コードとして判定することを特徴とする、請求項１に記載の通信端末装置。
【請求項１１】
電子メール機能を搭載した通信端末装置であって、
電子メールを受信する受信部と、
電子メールに使用される文字コードと当該文字コードに従って画面表示される内容とを対応付けたフォント情報のファイルが、前記受信部で受信された電子メールに添付されているか否かを判定する判定部と、
前記判定部で添付判定された前記フォント情報のファイルを展開する展開部と、
前記展開部による展開処理によって得られた前記フォント情報を格納する格納部と、
前記格納部に格納されたフォント情報を参照して、前記受信部で受信された電子メールの文字コードを再現する処理部とを備える、通信端末装置。
【請求項１２】
同一の文字コードについて複数のフォント情報が存在する場合、各フォント情報は、画面表示の優先度が設定されて前記格納部に格納され、
前記処理部は、前記優先度に従って再現に使用するフォント情報を選択することを特徴とする、請求項１１に記載の通信端末装置。
【請求項１３】
同一の文字コードについて複数のフォント情報が存在する場合、各フォント情報は、通信相手毎又は電子メール毎に関連付けて前記格納部に格納され、
前記処理部は、電子メールを送信してきた通信相手又は電子メール毎に応じて再現に使用するフォント情報を選択することを特徴とする、請求項１１に記載の通信端末装置。
【請求項１４】
同一の文字コードについて複数のフォント情報が存在する場合、前記処理部は、最初に検索されるフォント情報を文字コードの再現に使用することを特徴とする、請求項１１に記載の通信端末装置。
【請求項１５】
同一の文字コードについて複数のフォント情報が存在する場合、前記処理部は、当該複数のフォント情報を使用者に選択可能に提示することを特徴とする、請求項１１に記載の通信端末装置。
【請求項１６】
前記判定部は、電子メールに添付されているファイルがフォント情報のファイルか否かを、ファイルの拡張子によって判定することを特徴とする、請求項１１に記載の通信端末装置。
【請求項１７】
前記判定部は、電子メールに添付されているファイルがフォント情報のファイルか否かを、電子メールの本文又はヘッダ部に埋め込まれているフォント情報があることを示す所定の情報によって判定することを特徴とする、請求項１１に記載の通信端末装置。
【請求項１８】
前記判定部は、電子メールに添付されているファイルがフォント情報のファイルか否かを、電子メールの本文に表示できない文字コードがあるか否かによって判定することを特徴とする、請求項１１に記載の通信端末装置。
【請求項１９】
前記処理部が、前記格納部に格納されたフォント情報を参照しても前記受信部で受信された電子メールの全ての文字コードを再現できない場合、電子メールを送信した通信端末装置に対して、フォント情報の再送信を要求することを特徴とする、請求項１１に記載の通信端末装置。
【請求項２０】
前記格納部に格納されたフォント情報を用いて、使用者からの入力に応じた電子メールを作成するメール作成部をさらに備えることを特徴とする、請求項１１に記載の通信端末装置。
【請求項２１】
電子メールにファイル添付されてきたフォント情報の優先度は、当該添付してきた電子メールを表示する際に最も高くなるように設定されることを特徴とする、請求項１２に記載の通信端末装置。
【請求項２２】
フォント情報の優先度は、使用者によって設定されることを特徴とする、請求項１２に記載の通信端末装置。
【請求項２３】
前記格納部に、前記展開部による展開処理によって新たに得られたフォント情報を格納する領域が存在しない場合、既格納のフォント情報を削除することを特徴とする、請求項１１に記載の通信端末装置。
【請求項２４】
前記格納部に格納されたフォント情報は、関連付けられた全ての電子メールの削除と共に削除されることを特徴とする、請求項１１に記載の通信端末装置。
【請求項２５】
電子メール機能を搭載した通信端末装置で実行される電子メール送信処理方法であって、
電子メールに用いられた文字コードについて、受信側の装置で正しく画面表示させるために受信側の装置へ送信すべき文字コードを判定するステップと、
前記判定された文字コードに関して、電子メールに使用される文字コードと当該文字コードに従って画面表示される内容とを対応付けたフォント情報のファイルを作成するステップと、
電子メールに前記作成されたファイルを添付して送信するステップとを備える、電子メール送信処理方法。
【請求項２６】
電子メール機能を搭載した通信端末装置で実行される電子メール受信処理方法であって、
電子メールを受信するステップと、
電子メールに使用される文字コードと当該文字コードに従って画面表示される内容とを対応付けたフォント情報のファイルが、前記受信された電子メールに添付されているか否かを判定するステップと、
前記判定された前記フォント情報のファイルを展開するステップと、
前記展開するステップによって得られた前記フォント情報を参照して、前記受信された電子メールの文字コードを再現するステップとを備える、電子メール受信処理方法。
【請求項２７】
電子メール送信処理方法を、電子メール機能を搭載した通信端末装置で実行させるためのプログラムであって、
電子メールに用いられた文字コードについて、受信側の装置で正しく画面表示させるために受信側の装置へ送信すべき文字コードを判定するステップと、
前記判定された文字コードに関して、電子メールに使用される文字コードと当該文字コードに従って画面表示される内容とを対応付けたフォント情報のファイルを作成するステップと、
電子メールに前記作成されたファイルを添付して送信するステップとを含む、プログラム。
【請求項２８】
電子メール受信処理方法を、電子メール機能を搭載した通信端末装置で実行させるためのプログラムであって、
電子メールを受信するステップと、
電子メールに使用される文字コードと当該文字コードに従って画面表示される内容とを対応付けたフォント情報のファイルが、前記受信された電子メールに添付されているか否かを判定するステップと、
前記判定された前記フォント情報のファイルを展開するステップと、
前記展開するステップによって得られた前記フォント情報を参照して、前記受信された電子メールの文字コードを再現するステップとを含む、プログラム。
【請求項２９】
電子メール送信処理方法を、電子メール機能を搭載した通信端末装置で実行させるためのプログラムを記録したコンピュータ読み取り可能な記録媒体であって、
電子メールに用いられた文字コードについて、受信側の装置で正しく画面表示させるために受信側の装置へ送信すべき文字コードを判定するステップと、
前記判定された文字コードに関して、電子メールに使用される文字コードと当該文字コードに従って画面表示される内容とを対応付けたフォント情報のファイルを作成するステップと、
電子メールに前記作成されたファイルを添付して送信するステップとを含むプログラムを記録した、記録媒体。
【請求項３０】
電子メール受信処理方法を、電子メール機能を搭載した通信端末装置で実行させるためのプログラムを記録したコンピュータ読み取り可能な記録媒体であって、
電子メールを受信するステップと、
電子メールに使用される文字コードと当該文字コードに従って画面表示される内容とを対応付けたフォント情報のファイルが、前記受信された電子メールに添付されているか否かを判定するステップと、
前記判定された前記フォント情報のファイルを展開するステップと、
前記展開するステップによって得られた前記フォント情報を参照して、前記受信された電子メールの文字コードを再現するステップとを含むプログラムを記録した、記録媒体。